(57)【要約】【課題】機長をコンパクトにすることができるようにするとともに、シート状物の取り扱いを容易に行うことができるようにした延伸機を提供すること。【解決手段】熱可塑性樹脂からなるシート状物１の両端部をそれぞれ把持する掴み装置２を具備し、折尺状に形成された複数の等長リンクから構成された無端リンク装置３と、この無端リンク装置３を案内する閉経路からなるガイドレール５、６と、シート状物１を加熱する加熱炉８と、延伸前のシート状物１に接触して加熱を行う予熱機構９とを備える。【選択図】図１
2015205444.tif 000002
【特許請求の範囲】
【請求項１】
熱可塑性樹脂からなるシート状物の両端部をそれぞれ把持する掴み装置を具備し、折尺状に形成された複数の等長リンクから構成された無端リンク装置と、該無端リンク装置を案内する閉経路からなるガイドレールと、前記シート状物を加熱する加熱手段とを備えてなるシート状物を延伸する延伸機において、前記加熱手段として、延伸前のシート状物に接触して加熱を行う予熱機構を設けたことを特徴とする延伸機。
【請求項２】
前記予熱機構が、掴み装置によって両端部が把持されたシート状物の幅方向の内側の加熱を行うものであることを特徴とする請求項１記載の延伸機。
【請求項３】
前記予熱機構が、熱媒が流通する加熱プレートを備えてなることを特徴とする請求項１又は２記載の延伸機。
【請求項４】
前記予熱機構が、シート状物の幅方向の寸法に合わせて、幅方向の寸法が可変に形成されてなることを特徴とする請求項１、２又は３記載の延伸機。
【発明の詳細な説明】
【技術分野】
【０００１】
本発明は、熱可塑性樹脂からなるシート状物を延伸する延伸機に関するものである。
【背景技術】
【０００２】
従来、熱可塑性樹脂からなるシート状物を加熱する加熱手段と、前記シート状物の両端部をそれぞれ把持する掴み装置を具備し、折尺状に形成された複数の等長リンクから構成された無端リンク装置と、該無端リンク装置を案内する閉経路からなるガイドレールとを備えてなるシート状物を延伸する延伸機が提案され、実用化されている（例えば、特許文献１参照。）。
【先行技術文献】
【特許文献】
【０００３】
【特許文献１】特開２００８−３０３９４号公報
【発明の概要】
【発明が解決しようとする課題】
【０００４】
ところで、上記従来の延伸機は、シート状物を加熱する加熱手段として、熱風を導入するようにしたり、電気ヒータを配設するようにした加熱炉内をシート状物を通過させることにより、シート状物を加熱するようにしたものを用いるようにしていた。
【０００５】
そして、加熱手段として加熱炉を用いるようにした場合、延伸機においてシート状物を供給し、掴み装置によってシート状物を把持する箇所は、作業者が手作業で掴み装置によるシート状物の把持状態の調整を行ったり、目視による把持状態の確認を行うことができるようにするため、また、これに加え、掴み装置によってシート状物を把持する前に予熱すると、作業者による加熱されたシート状物の取り扱いが困難になるため、掴み装置によってシート状物を把持する箇所を含む延伸機の上流側にはシート状物を予熱するための加熱炉等の加熱手段を設けないようにされていた。
【０００６】
このシート状物を予熱するための加熱手段を設ける位置の制約から、従来の延伸機は、掴み装置によってシート状物を把持する箇所に加え、所定長の加熱手段を確保するために、機長が長大になるという問題があった。
【０００７】
本発明は、上記従来の延伸機の有する問題点に鑑み、機長をコンパクトにすることができるようにするとともに、シート状物の取り扱いを容易に行うことができるようにした延伸機を提供することを目的とする。
【課題を解決するための手段】
【０００８】
上記目的を達成するため、本発明の延伸機は、熱可塑性樹脂からなるシート状物の両端部をそれぞれ把持する掴み装置を具備し、折尺状に形成された複数の等長リンクから構成された無端リンク装置と、該無端リンク装置を案内する閉経路からなるガイドレールと、前記シート状物を加熱する加熱手段とを備えてなるシート状物を延伸する延伸機において、前記加熱手段として、延伸前のシート状物に接触して加熱を行う予熱機構を設けたことを特徴とする。
【０００９】
この場合において、前記予熱機構が、掴み装置によって両端部が把持されたシート状物の幅方向の内側の加熱を行うものとすることができる。
【００１０】
また、前記予熱機構が、熱媒が流通する加熱プレートを備えてなるようにすることができる。
【００１１】
また、前記予熱機構が、シート状物の幅方向の寸法に合わせて、幅方向の寸法が可変に形成されてなるようにすることができる。
【発明の効果】
【００１２】
本発明の延伸機によれば、加熱手段として、延伸前のシート状物に接触して加熱を行う予熱機構を設けることにより、掴み装置によってシート状物を把持する箇所で、シート状物を予熱することが可能となり、加熱手段を含む延伸機の機長をコンパクトにすることができる。
【００１３】
また、前記予熱機構が、掴み装置によって両端部が把持されたシート状物の幅方向の内側の加熱を行うものとすることにより、掴み装置によるシート状物の把持状態の調整等の作業者の手作業によるシート状物の取り扱いを容易に行うことができる。
【００１４】
また、前記予熱機構が、熱媒が流通する加熱プレートを備えてなるようにすることにより、加熱温度の調節を容易に行うことができる。
【００１５】
また、前記予熱機構が、シート状物の幅方向の寸法に合わせて、幅方向の寸法が可変に形成されてなるようにすることにより、幅方向の寸法が異なるシート状物を、必要な範囲で予熱することができる。
【図面の簡単な説明】
【００１６】
【図１】本発明の延伸機の一実施例を示す概略平面図である。
【図２】同延伸機の加熱プレートの正面断面図である。
【図３】同延伸機の加熱プレートの一例を示す平面図である。
【図４】同延伸機の加熱プレートの一例を示す平面図である。
【発明を実施するための形態】
【００１７】
以下、本発明の延伸機の実施の形態を、図面に基づいて説明する。
【００１８】
図１に、本発明の延伸機の一実施例を示す。
この延伸機は、熱可塑性樹脂からなるシート状物１の同時二軸延伸を可能とするもので、シート状物１の両端部をそれぞれ把持する掴み装置２を具備し、折尺状に形成された複数の等長リンクから構成された無端リンク装置３（図１において、等長リンクの一部は省略。）と、この無端リンク装置３を案内する閉経路からなるガイドレール５、６と、シート状物１を加熱する加熱手段として、加熱炉８と、延伸前のシート状物１の表面に接触して加熱を行う予熱機構９とを備えるようにしている。
【００１９】
この場合において、無端リンク装置３は、シート状物１の入口側スプロケット４で駆動（又は案内）され、掴み装置２によってシート状物１を掴み、進行方向に末広がり状に配置されたガイドレール５、６に案内されて掴みピッチがＰ１からＰ２に徐々に拡大することにより、シート状物１を縦横二方向に同時に延伸させた後、掴み装置２によって掴んでいたシート状物１を放し、出口側スプロケット７により駆動（又は案内）されて、入口側スプロケット４に戻るように構成されている。
【００２０】
シート状物１は、熱可塑性樹脂からなるフィルム等であり、熱風を導入するようにしたり、電気ヒータを配設するようにした加熱炉８内を通過させることにより、加熱され、シート状物１の応力を低減して、破損することなく縦横方向の同時延伸を実現するようにしている。
【００２１】
この加熱炉８は、例えば、延伸前のシート状物１を加熱する予熱部８ａと、延伸時のシート状物１を加熱する延伸部８ｂと、延伸後のシート状物１を冷却又は熱固定する除冷・熱固定部８ｃとから構成するようにしている。
【００２２】
ところで、本実施例においては、加熱炉８の予熱部８ａよりも上流側の掴み装置２によってシート状物１を把持する箇所に、延伸前のシート状物１の表面に接触して加熱を行う予熱機構９を設けるようにしている。
【００２３】
この予熱機構９は、図２に示すように、加熱温度の調節を容易に行うことができる熱媒を利用したプレート式のものからなり、掴み装置２によって把持された状態で、無端リンク装置３の駆動に合わせて移動する延伸前のシート状物１の表裏両面に接触して加熱を行う構造、具体的には、上側加熱プレート９ａと、下側加熱プレート９ｂとで構成するようにしている。
ここで、上側加熱プレート９ａ（及び／又は下側加熱プレート９ｂ）は、シート状物１の厚み合わせて上下動できるようにしている。
なお、予熱機構９の熱源として、電気ヒータ等の他の熱源を用いることもできる。
【００２４】
また、この予熱機構９は、シート状物１の幅方向の寸法に合わせて、幅方向の寸法が可変に形成されてなるように構成されている。
具体的には、上側加熱プレート９ａ及び下側加熱プレート９ｂを、それぞれ、図３に示すように、櫛歯状に配置したり、図４に示すように、斜めに分割した配置とし、幅方向に移動できるようにしている。
これにより、幅方向の寸法が異なるシート状物１を、必要な範囲で予熱することができる。
【００２５】
この延伸機によれば、延伸前のシート状物１に接触して加熱を行う予熱機構９を設けることにより、掴み装置２によってシート状物１を把持する箇所で、シート状物１を予熱することが可能となり、加熱炉８の予熱部８ａを短くすることができ、加熱炉８を含む延伸機の機長をコンパクトにすることができる。
また、予熱機構９によって、掴み装置２によって両端部が把持されたシート状物１の幅方向の内側の加熱を行うことができるため、掴み装置２によるシート状物１の把持状態の調整等の作業者の手作業によるシート状物１の取り扱いを容易かつ安全に行うことができる。
【００２６】
以上、本発明の延伸機について、その実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明の延伸機は、機長をコンパクトにすることができるようにするとともに、シート状物の取り扱いを容易に行うことができるという特性を有していることから、熱可塑性樹脂からなるシート状物の同時二軸延伸を可能とする延伸機の用途に好適に用いることができる。
【符号の説明】
【００２８】
１  シート状物
２  掴み装置
３  無端リンク装置
４  入口側スプロケット
５  ガイドレール
６  ガイドレール
７  出口側スプロケット
８  加熱炉（加熱手段）
８ａ  予熱部
８ｂ  延伸部
８ｃ  除冷・熱固定部
９  予熱機構（加熱手段）
９ａ  上側加熱プレート
９ｂ  下側加熱プレート
【図１】
2015205444.tif 000003
【図２】
2015205444.tif 000004
【図３】
2015205444.tif 000005
【図４】
2015205444.tif 000006